(57)【要約】    【課題】  タンデム型の画像形成装置であってアモルファスシリコンドラムを用いた場合でも文字中抜け現象が発生せず、しかも色ごとに画像に差異が生じたり、トナーの飛散が起こったりすることもなく、安定した画像を提供することできる画像形成装置を提供する。  【解決手段】  本発明の画像形成装置は、各色トナー像が転写媒体上に順次転写されるように前記転写媒体の移動方向に沿って複数の画像形成ユニットが配置されてなるタンデム型画像形成装置において、前記転写媒体の移動方向に沿って上流側から順にＵ１、Ｕ２、Ｕ３、Ｕ４としたとき、前記Ｕ１には高級脂肪酸亜鉛で表面処理したトナーが、前記Ｕ２には高級脂肪酸マグネシウムで表面処理したトナーが、前記Ｕ３には高級脂肪酸カルシウムで表面処理したトナーが、それぞれ収容されている。【選択図】  図１
2007310011.tif 000002
【特許請求の範囲】
【請求項１】
各色トナー像が転写媒体上に順次転写されるように前記転写媒体の移動方向に沿って複数の画像形成ユニットが配置されてなるタンデム型画像形成装置において、
前記転写媒体の移動方向に沿って上流側から順にＵ１、Ｕ２、Ｕ３、Ｕ４としたとき、前記Ｕ１には高級脂肪酸亜鉛で表面処理したトナーが、前記Ｕ２には高級脂肪酸マグネシウムで表面処理したトナーが、前記Ｕ３には高級脂肪酸カルシウムで表面処理したトナーが、それぞれ収容されている、ことを特徴とする画像形成装置。
【請求項２】
前記高級脂肪酸亜鉛はステアリン酸亜鉛であり、前記高級脂肪酸マグネシウムはステアリン酸マグネシウムであり、前記高級脂肪酸カルシウムはステアリン酸カルシウムである、請求項１記載の画像形成装置。
【請求項３】
前記Ｕ４に収容されるトナーには高級脂肪酸金属塩が含まれない、請求項１または２記載の画像形成装置。
【請求項４】
像担持体としてアモルファスシリコンドラムを備えた、請求項１〜３のいずれかに記載の画像形成装置。
【発明の詳細な説明】
【技術分野】
【０００１】
本発明は、電子写真法を利用した複写機、レーザープリンター、ファクシミリおよびその複合機等に有用なタンデム型の画像形成装置に関する。
【背景技術】
【０００２】
従来、カラー画像の形成には、例えば、互いに異なる４色（例えばブラック（Ｋ）、イエロー（Ｙ）、シアン（Ｃ）、マゼンタ（Ｍ））の画像が単一の感光体（像担持体）上で重なり合うように、各色の画像を感光体上に順に形成する方式が取られてきたが、最終的にカラー画像が形成されるまでに時間がかかるという問題があった。
【０００３】
そこで、近年では、複数の感光体を有し、複数本の光ビームによって各感光体を同時に走査露光して各感光体に互いに異なる色の画像を形成し、各色の画像を同一の転写媒体上に重ね合わせることによってカラー画像を形成する、いわゆるタンデム型の画像形成装置が多く採用されている。例えば、タンデム型画像形成装置の一例として、各色トナー像を順次転写させる移動可能な中間転写体（転写媒体）と、該中間転写体の移動方向に沿って配置され各色毎のトナー像を担持させる像担持体を有する複数の画像形成ユニットと、前記像担持体上のトナー像を前記中間転写体に転写する１次転写手段と、前記中間転写体上のトナー像を記録媒体に転写する２次転写手段とを有する装置が汎用されている。
【０００４】
ところで、一般に、画像形成装置に用いる像担持体としては、マシンの長寿命化やランニングコストの低減を容易に達成できる点でアモルファスシリコンドラムが有利であることが知られており、盛んに使用されている。アモルファスシリコンドラムは、その表面の硬度が高いため、トナー表面の無機微粒子によって研磨されてもほとんど膜の削れを生じることがなく、長期間にわたりその性能を維持することができるのである。
【０００５】
しかしながら、一方で、アモルファスシリコンドラムは摩擦抵抗が高いという性質を持っており、タンデム型の画像形成装置に用いた場合、いわゆる「文字中抜け現象」が生じることがあった。つまり、タンデム型画像形成装置においては、転写媒体の移動方向に関して最上流の画像形成ユニットにて転写媒体に転写されたトナーが、これよりも下流側にある画像形成ユニットの像担持体と接触する際に、像担持体が摩擦抵抗の高いアモルファスシリコンドラムであると、前記転写されたトナーの最表面層がドラムに付着して剥がれてしまい、その結果、転写媒体上のトナーの線画の真ん中が抜ける「文字中抜け現象」を起こすことになるのである。
【０００６】
このような文字中抜け現象を回避するためには、アモルファスシリコンドラムの摩擦抵抗を低減させればよいと考えられ、像担持体の摩擦抵抗を低減させる手段としては、使用するトナー中に金属石鹸を含有させる方法が知られている。例えば、現像剤中に酸化チタンやシリカとともに特定の粒径を有する金属石鹸を含有させる技術（特許文献１参照）や、回転式現像器を有する画像形成装置において用いるトナーに金属石鹸を含有させるにあたりトナー中の金属石鹸の量を回転する複数の現像ユニットに応じて最適化する技術（特許文献２参照）などが提案されている。
【特許文献１】特開２００１−５１４４３号公報
【特許文献２】特開２００５−３１２４３号公報
【発明の開示】
【発明が解決しようとする課題】
【０００７】
ところで、タンデム型画像形成装置の一例である、中間転写体を有するタンデム型画像形成装置においては、前記複数の画像形成ユニットを中間転写体の移動方向に沿って上流側から順にＵ１、Ｕ２、Ｕ３、Ｕ４とすると、Ｕ１にて中間転写体に１次転写されたトナーは、Ｕ２、Ｕ３およびＵ４の３つの画像形成ユニットにおけるそれぞれの転写領域で高電圧の交番電界が印加されることによりチャージアップする。同様に、Ｕ２にて中間転写体に１次転写されたトナーはＵ３およびＵ４の２つの画像形成ユニットにおけるそれぞれの転写領域でチャージアップし、Ｕ３にて中間転写体に１次転写されたトナーはＵ４の画像形成ユニットにおける転写領域でチャージアップする。つまり、各画像形成ユニットで転写された各トナーは、それぞれチャージアップの程度が異なる。そのため、各色のトナーは収容される画像形成ユニットの位置によって帯電量が異なることになり、色ごとに画像に差異が生じることがあった。また、トナーの帯電量が上がると飛散し易くなるが、その程度もまた各色のトナーごとに異なっていた。
【０００８】
タンデム型画像形成装置において各転写領域でのチャージアップにより生じる前記問題は、前述したように「文字中抜け現象」を抑制する目的で高級脂肪酸金属塩を用いた場合、より一層顕著に現われる傾向があった。これは、高級脂肪酸金属塩が、アモルファスシリコンドラムの摩擦抵抗を低下させて「文字中抜け現象」の抑制を可能にすると同時に、トナーをチャージアップされ易くするという性質も併せ持つからである。
例えば、高級脂肪酸金属塩を用いないトナーを前記Ｕ１（中間転写体の移動方向に関して最上流に配置された画像形成ユニット）に収容した場合、最終的に記録媒体上に２次転写されたときのトナーの帯電量は２８μＣ／ｇであり、収容するユニットを変えて同じく最終的なトナー帯電量をみると、前記Ｕ２に収容した場合には２６μＣ／ｇ、前記Ｕ３に収容した場合には２４μＣ／ｇ、前記Ｕ４に収容した場合には２２μＣ／ｇになる。
これに対して、高級脂肪酸金属塩としてステアリン酸カルシウムを用いたトナーでは、前記Ｕ１に収容した場合には４０μＣ／ｇ、前記Ｕ２に収容した場合には３６μＣ／ｇ、前記Ｕ３に収容した場合には３０μＣ／ｇ、前記Ｕ４に収容した場合には２２μＣ／ｇになる。
また、高級脂肪酸金属塩としてステアリン酸マグネシウムを用いたトナーでは、前記Ｕ１に収容した場合には３７μＣ／ｇ、前記Ｕ２に収容した場合には３４μＣ／ｇ、前記Ｕ３に収容した場合には２９μＣ／ｇ、前記Ｕ４に収容した場合には２２μＣ／ｇになる。
また、高級脂肪酸金属塩としてステアリン酸亜鉛を用いたトナーでは、前記Ｕ１に収容した場合には３４μＣ／ｇ、前記Ｕ２に収容した場合には３２μＣ／ｇ、前記Ｕ３に収容した場合には２８μＣ／ｇ、前記Ｕ４に収容した場合には２５μＣ／ｇになる。
【０００９】
そこで、本発明の課題は、タンデム型の画像形成装置であってアモルファスシリコンドラムを用いた場合でも文字中抜け現象が発生せず、しかも色ごとに画像に差異が生じたり、トナーの飛散が起こったりすることもなく、安定した画像を提供することできる画像形成装置を提供することである。
【課題を解決するための手段】
【００１０】
本発明者らは、上記課題を解決すべく鋭意検討を行った。その結果、高級脂肪酸金属塩を用いてトナー粒子の表面処理を行なう場合、摩擦抵抗を低下させる効果はその金属塩の種類が変わっても殆ど変化しないが、帯電性に及ぼす影響は金属種によって大きく異なることに着目した。例えば、金属種として、亜鉛、マグネシウム、カルシウムの３つを比較した場合、帯電性（言い換えれば、チャージアップされ易さ）は、亜鉛＜マグネシウム＜カルシウムの順となる。この知見を利用し、この高級脂肪酸金属塩に起因する帯電性の傾向と、各画像形成ユニットの位置（すなわち、上流か、下流か）によって異なるチャージアップ傾向とが合わさったときにほぼ均等な帯電性となるよう、各画像形成ユニットに収容されるトナーに関して各々最適な金属種を特定し、該特定の高級脂肪酸金属塩でそれぞれ表面処理することによって、前記課題を一挙に解決しうることを見出した。本発明は、これらの知見により完成されたものである。
【００１１】
すなわち、本発明の画像形成装置は、各色トナー像が転写媒体上に順次転写されるように前記転写媒体の移動方向に沿って複数の画像形成ユニットが配置されてなるタンデム型画像形成装置において、
前記転写媒体の移動方向に沿って上流側から順にＵ１、Ｕ２、Ｕ３、Ｕ４としたとき、前記Ｕ１には高級脂肪酸亜鉛で表面処理したトナーが、前記Ｕ２には高級脂肪酸マグネシウムで表面処理したトナーが、前記Ｕ３には高級脂肪酸カルシウムで表面処理したトナーが、それぞれ収容されている、ことを特徴とする。
【発明の効果】
【００１２】
本発明によれば、タンデム型の画像形成装置であってアモルファスシリコンドラムを用いた場合でも文字中抜け現象が発生せず、しかも色ごとに画像に差異が生じたり、トナーの飛散が起こったりすることもなく、安定した画像を提供することできる画像形成装置を提供することができる、という効果がある。
【発明を実施するための最良の形態】
【００１３】
本発明の画像形成装置は、各色トナー像が転写媒体上に順次転写されるように前記転写媒体の移動方向に沿って複数の画像形成ユニットが配置されてなるタンデム型画像形成装置である。タンデム型画像形成装置には、１）前記転写媒体が転写ベルト等の中間転写体であり、各画像形成ユニットから一旦中間転写体上に１次転写されたトナー像が紙等の記録媒体に２次転写される方式（以下、この方式を「間接転写方式」と称することもある）と、２）前記転写媒体が紙等の記録媒体であり、各画像形成ユニットから直接紙等の記録媒体にトナー像が転写される方式（以下、この方式を「直接転写方式」と称することもある）とがあるが、本発明の画像形成装置はタンデム型であればいずれの方式であってもよい。つまり、前記転写媒体は、転写ベルト等の中間転写体であってもよいし、紙等の記録媒体であってもよいのである。
【００１４】
以下、本発明の画像形成装置の一実施形態として、間接転写方式のタンデム型画像形成装置について図面を用いて詳しく説明する。
間接転写方式のタンデム型画像形成装置は、一般に、各色トナー像を順次転写させる移動可能な中間転写体（転写媒体）と、該中間転写体の移動方向に沿って配置され各色毎のトナー像を担持させる像担持体を有する複数の画像形成ユニットと、前記像担持体上のトナー像を前記中間転写体に転写する１次転写手段と、前記中間転写体上のトナー像を記録媒体に転写する２次転写手段とを有する。図１は、このような間接転写方式のタンデム型画像形成装置１であるカラープリンタの内部構成を概略的に示す図である
【００１５】
画像形成装置１は、内部で用紙（記録媒体）にカラー画像を形成（プリント）する四角箱状のハウジング２を備えている。ハウジング２内においては、下部には用紙を収納する給紙カセット５が配設され、中間部には手差しで用紙を供給するためのスタックトレイ６が配設され、上部には装置外部から送信されてくる文字や絵柄などの画像データに基づいて用紙に画像を形成する画像形成部７が設けられている。また、このハウジング２の上面部には、カラー画像のプリントされた用紙が排出される用紙排出部（排出トレー）３が設けられている。
【００１６】
給紙カセット５は、ハウジング２の外部（図１において手前側）に引き出して用紙を補充するものであり、給紙方向のサイズが異なる少なくとも２種類の用紙を選択的に収納できるようになっている。スタックトレイ６は、手差しで供給する用紙を積載しておくことができるようになっている。
【００１７】
給紙カセット５に収納されている用紙は、給紙ローラ１７および捌きローラ１８により１枚ずつ繰り出され、第１の搬送路９の所定位置に配設された複数の搬送ローラ４３により画像形成部７に搬送される。一方、スタックトレイ６に積載されている用紙は、ピックアップローラ２０および捌きローラ２１により１枚ずつ繰り出され、第２の搬送路１０の所定位置に配設された複数の搬送ローラ４３により画像形成部７に搬送される。このとき、第１の搬送路９と第２の搬送路１０とが合流した先であって画像形成部７の手前（具体的には、後述する２次転写ローラ（２次転写手段）２３の手前）の位置に設けられたレジストローラ２２によって、画像形成部７における画像形成動作と給紙動作とのタイミングが計られる。
【００１８】
画像形成部７は、各色のトナー画像を形成する画像形成ユニット２６〜２９と、各画像形成ユニット２６〜２９で形成された各色のトナー像を重ね合わせたフルカラーのトナー画像を用紙（記録媒体）に転写する転写搬送部３０とを備えている。詳しくは、各色の画像形成ユニット２６〜２９は、転写搬送部３０において時計回りに走行するよう配設された後述の１次転写ベルト（中間転写体）４０の移動方向に沿って配設されている。なお、画像形成ユニット２６〜２９における配色の順序は、通常、特に制限されないが、図１においては、１次転写ベルト（中間転写体）４０の移動方向に関して下流側から順に、ブラック（Ｂ）、イエロー（Ｙ）、シアン（Ｃ）、マゼンダ（Ｍ）の各画像形成ユニットが配設されている。
【００１９】
各画像形成ユニット２６〜２９は、それぞれ、感光体ドラム（像担持体）３２と、感光体ドラム（像担持体）３２の周面に対向して配設された帯電部３３と、帯電部３３の下流側であって感光体ドラム（像担持体）３２の周面上の特定位置にレーザビームを照射するレーザ走査ユニット３４と、レーザ走査ユニット３４からのレーザビーム照射位置の下流側であって感光体ドラム３２の周面に対向して配設された現像部３５と、現像部３５の下流側であって感光体ドラム３２の周面に対向して配設されたクリーニング部３６とを備えている。また、各画像形成ユニット２６〜２９の現像部３５は、それぞれ、各色の現像剤が収納されたトナーボックス５１を備えている。なお、各画像形成ユニット２６〜２９の感光体ドラム３２は、駆動モータ（図示せず）により反時計回りに回転するようになっている。
【００２０】
転写搬送部３０は、画像形成ユニット２６の近傍位置に配設された後ローラ（駆動ローラ）３８と、画像形成ユニット２９の近傍位置に配設された前ローラ（従動ローラ）３９と、後ローラ３８と前ローラ３９とに跨って配設された１次転写ベルト（中間転写体）４０と、各画像形成ユニット２６〜２９の感光体ドラム３２における現像部３５の下流側の位置に１次転写ベルト４０を介して圧接するように、感光体ドラム３２毎に配設された１次転写ローラ（１次転写手段）４１と、１次転写ベルト４０およびレジストローラ２２から給紙された用紙（記録媒体）を介して後ローラ（駆動ローラ）３８に圧接するように配設された２次転写ローラ（２次転写手段）２３と、を備えている。
【００２１】
各画像形成ユニット２６〜２９では、まず、感光体ドラム（像担持体）３２の表面が帯電部３３と対向する位置において帯電する。次いで、この帯電部分に対して形成しようとする画像データに基づきレーザ走査ユニット３４からレーザビームが照射されることで感光体ドラム（像担持体）３２に静電潜像が形成される。形成された静電潜像は現像部３５と対向する際に現像され、感光体ドラム（像担持体）３２上に各色のトナー画像が形成されることとなる。次に、各画像形成ユニット２６〜２９の１次転写ローラ４１の位置で１次転写ベルト（中間転写体）４０上に各色のトナー画像がそれぞれ順次転写されていき、最下流の画像形成ユニット２６を通過した１次転写ベルト（中間転写体）４０にはフルカラーのトナー画像が形成されることとなる。この１次転写ベルト（中間転写体）４０上のフルカラーのトナー画像が、２次転写ローラ（２次転写手段）２３の位置でレジストローラ２２から給紙された用紙（記録媒体）の上に２次転写されるのである。なお、各画像形成ユニット２６〜２９において、１次転写ベルト（中間転写体）４０への転写後、感光体ドラム（像担持体）３２の周面に残ったトナーはクリーニング部３６で除去される。
【００２２】
画像形成部７で画像形成された用紙は、左上部に配設された定着ユニット１４に送られ、ここで形成された画像を用紙に定着させるための定着処理が施される。定着処理とは、画像形成部７で用紙に転写されたトナー画像を熱および圧力により定着させるものである。定着ユニット１４は、内蔵されたヒータにより加熱される定着ローラ４４と、定着ローラ４４に圧接して配設された加圧ローラ４５と、２次転写ローラ（２次転写手段）２３を通過した用紙を定着ローラ４４および加圧ローラ４５間に案内するためこれらの上流側に配設された前搬送路４６と、定着ローラ４４および加圧ローラ４５間を通過した用紙を第３の搬送路１１側に案内するためこれらの下流側に配設された後搬送路４７と、を備えている。
【００２３】
定着ユニット１４で定着処理の施された用紙は、第３の搬送路１１の所定位置に配設された搬送ローラ４８により搬送され、その出口側に配設された排出ローラ２４により用紙排出部３に排出される。また、必要に応じて、定着処理の施された用紙は、第４の搬送路１２側に送られ、ここで反転させて再び二次転写ローラ（２次転写手段）２３にて先に画像形成した面の反対面に画像形成したのち、定着ユニット１４を経て第３の搬送路１１から用紙排出部３に排出することもできる。
【００２４】
本発明の画像形成装置においては、各画像形成ユニットに、その位置（上流側か下流側か）に応じて特定されるトナーをそれぞれ収容することが重要である。すなわち、前記複数の画像形成ユニット２６〜２９を転写媒体（すなわち、図１においては中間転写体４０）の移動方向に沿って上流側から順にＵ１、Ｕ２、Ｕ３、Ｕ４としたとき（つまり、画像形成ユニット２９＝Ｕ１、画像形成ユニット２８＝Ｕ２、画像形成ユニット２７＝Ｕ３、画像形成ユニット２６＝Ｕ４としたとき）、前記Ｕ１には高級脂肪酸亜鉛で表面処理したトナーが収容され、前記Ｕ２には高級脂肪酸マグネシウムで表面処理したトナーが収容され、前記Ｕ３には高級脂肪酸カルシウムで表面処理したトナーが収容されていなければならない。このように、それぞれ特定の高級脂肪酸金属塩で表面処理したトナーを収容していることにより、トナーのチャージアップ傾向を段階的に異ならせ、色ごとに画像に差異が生じたり、トナーが飛散したりするのを防ぐことが可能なる。また、高級脂肪酸金属塩による表面処理によって、タンデム型の画像形成装置であってアモルファスシリコンドラムを用いた場合でも文字中抜け現象が発生しないという効果も得られる。
【００２５】
なお、前記Ｕ４（すなわち、最下流の画像形成ユニット）には、任意のステアリン酸金属塩などによって表面処理されたトナーを収容することもできるが、前記Ｕ４に収容されるトナーには高級脂肪酸金属塩が含まれないことが、ドラムの帯電性を損なうことがない点で好ましい。
本発明において各トナーの表面処理に用いられる高級脂肪酸金属塩は、炭素数１０〜２０の脂肪酸金属塩であるのが好ましく、例えば、ステアリン酸金属塩、オレイン酸金属塩、ラウリル酸金属塩等が挙げられる。これらの中でも特に、ステアリン酸金属塩が、アモルファスシリコンドラムを用いた場合の文字中抜け現象防止効果が高く、好ましい。したがって、前記高級脂肪酸亜鉛はステアリン酸亜鉛であり、前記高級脂肪酸マグネシウムはステアリン酸マグネシウムであり、前記高級脂肪酸カルシウムはステアリン酸カルシウムであることが、本発明の好ましい態様である。
【００２６】
前記Ｕ１、前記Ｕ２および前記Ｕ３に収容する各トナーにおいて、それぞれの特定の高級脂肪酸金属塩（すなわち、前記Ｕ１では高級脂肪酸亜鉛、前記Ｕ２では高級脂肪酸マグネシウム、前記Ｕ３では高級脂肪酸カルシウム）の濃度は、特に限定されないが、いずれの場合も、通常、トナー粒子に対して０．０１〜０．２重量％であることが好ましい。より好ましくは、トナー粒子に対して０．０１〜０．１重量％がよい。前記Ｕ１、前記Ｕ２および前記Ｕ３の各ユニットともに、収容するトナーの特定高級脂肪酸金属塩濃度が低すぎると、アモルファスシリコンドラムの表面摩擦抵抗の低減効果が不充分となる恐れがあり、一方、収容するトナーの特定高級脂肪酸金属塩濃度が高すぎると、ドラムの帯電不良を招く恐れがある。
【００２７】
本発明において各画像形成ユニットに収容される各トナーは、高級脂肪酸金属塩による表面処理に関して前述の通りである以外は、特に制限はなく、例えば、バインダ樹脂、磁性粉もしくは着色剤、離型剤、電荷制御剤などを用いてトナー粒子を得、これに前述したシリカや後述するその他の成分を外添して得ることができる。なお、トナーを得る際の各成分の配合割合などについては、従来公知の技術の範囲で適宜設定すればよい。なお、本発明におけるトナーは、例えば、一成分現像剤として用いられてもよいし、磁性キャリヤ（例えば鉄粉やフェライト）との二成分現像剤として用いられてもよい。
【００２８】
バインダ樹脂としては、例えば、ポリスチレン系樹脂、アクリル系樹脂、スチレン−アクリル系共重合体、ポリエチレン系樹脂、ポリプロピレン系樹脂、ポリ塩化ビニル系樹脂、ポリエステル系樹脂、ポリアミド系樹脂、ポリウレタン系樹脂、ポリビニルアルコール系樹脂、ビニルエーテル系樹脂、Ｎ−ビニル系樹脂、スチレン−ブタジエン樹脂等の熱可塑性樹脂を使用することができる。また、バインダ樹脂として、熱可塑性樹脂に加えて熱硬化性樹脂を一部使用することもできる。熱硬化性樹脂としては、エポキシ系樹脂やシアネート系樹脂等が挙げられる。
【００２９】
磁性粉としては、例えば、フェライト、マグネタイトをはじめとする鉄、コバルト、ニッケルなどの強磁性を示す金属、これら金属元素の合金、これら金属元素を含む化合物、強磁性元素を含まないが適当な熱処理を施すことによって強磁性を示すようになる合金、二酸化クロムなどが挙げられる。これらの磁性粉としては、平均粒子径が０．１〜１μｍ、好ましくは０．１〜０．５μｍの範囲内の微粉末を用いるのがよい。また、チタン系カップリング剤、シラン系カップリング剤などの表面処理剤で表面処理が施された磁性粉を用いてもよい。
【００３０】
着色剤としては、例えば、カーボンブラックなどのブラック系着色剤；ナフトールイエローＳ等のニトロ系顔料、ハンザイエロー５Ｇ、ハンザイエロー３Ｇ、ハンザイエローＧ、ベンジジンイエローＧ、バルカンファストイエロー５Ｇ等のアゾ系顔料または黄色酸化鉄、黄土等の無機顔料のほか、カラーインデックスに記されているＣ．Ｉ．ピグメントイエロー１２、Ｃ．Ｉ．ピグメントイエロー１８０、Ｃ．Ｉ．ソルベントイエロー２、Ｃ．Ｉ．ソルベントイエロー６、Ｃ．Ｉ．ソルベントイエロー１４、Ｃ．Ｉ．ソルベントイエロー１５、Ｃ．Ｉ．ソルベントイエロー１６、Ｃ．Ｉ．ソルベントイエロー１９、Ｃ．Ｉ．ソルベントイエロー２１などのイエロー系着色剤；カラーインデックスに記されているＣ．Ｉ．ピグメントブルー１５、Ｃ．Ｉ．ピグメントブルー１５−１、Ｃ．Ｉ．ピグメントブルー１５−３、Ｃ．Ｉピグメントブルー１６、Ｃ．Ｉ．ソルベントブルー５５、Ｃ．Ｉ．ソルベントブルー７０、Ｃ．Ｉ．ダイレクトブルー８６、Ｃ．Ｉ．ダイレクトブルー２５などのシアン系着色剤；カラーインデックスに記されているＣ．Ｉ．ピグメントレッド８１、Ｃ．Ｉ．ピグメントレッド１２２、Ｃ．Ｉ．ピグメントレッド５７、Ｃ．Ｉピグメントレッド４９、Ｃ．Ｉ．ピグメントレッド２３８、Ｃ．Ｉ．ソルベントレッド４９、Ｃ．Ｉ．ソルベントレッド１９、Ｃ．Ｉ．ソルベントレッド５２、Ｃ．Ｉ．ベシック（Ｂａｓｉｃ）レッド１０、Ｃ．Ｉ．ディスパーズ（Ｄｉｓｐｅｒｓｅ）レッド１５などのマゼンタ系着色剤；等が挙げられる。
【００３１】
離型剤としては、例えば、カルナバワックス、サトウワックス、木ワックス等の植物性ワックス；蜜ワックス、昆虫ワックス、鯨ワックス、羊毛ワックスなどの動物性ワックス；エステルを側鎖に有するフィッシャートロプシュワックスやポリエチレンワックス、ポリプロピレンワックス等の合成炭化水素系ワックス等が挙げられる。
【００３２】
電荷制御剤としては、正帯電性を示すものと負帯電性を示すものとがある。具体的には、正帯電性の電荷制御剤としては、例えば、ピリダジン、ピリミジン、ピラジン、オルトオキサジン、メタオキサジン、パラオキサジン、オルトチアジン、メタチアジン、パラチアジン、１，２，３−トリアジン、１，２，４−トリアジン、１，３，５−トリアジン、１，２，４−オキサジアジン、１，３，４−オキサジアジン、１，２，６−オキサジアジン、１，３，４−チアジアジン、１，３，５−チアジアジン、１，２，３，４−テトラジン、１，２，４，５−テトラジン、１，２，３，５−テトラジン、１，２，４，６−オキサトリアジン、１，３，４，５−オキサトリアジン、フタラジン、キナゾリン、キノキサリンなどのアジン化合物；アジンファストレッドＦＣ、アジンファストレッド１２ＢＫ、アジンバイオレットＢＯ、アジンブラウン３Ｇ、アジンライトブラウンＧＲ、アジンダークグリーンＢＨ／Ｃ、アジンディ−プブラックＥＷおよびアジンディーブラック３ＲＬなどのアジン化合物からなる直接染料；ニグロシン、ニグロシン塩、ニグロシン誘導体などのニグロシン化合物；ニグロシンＢＫ、ニグロシンＮＢ、ニグロシンＺなどのニグロシン化合物からなる酸性染料；ナフテン酸または高級脂肪酸の金属塩類；アルコキシル化アミン；アルキルアミド；ベンジルメチルヘキシルデシルアンモニウム、デシルトリメチルアンモニウムクロライド等の４級アンモニウム塩のほか、４級アンモニウム塩、カルボン酸塩あるいはカルボキシル基を官能基として有する樹脂またはオリゴマー（より具体的には、４級アンモニウム塩を有するスチレン系樹脂、４級アンモニウム塩を有するアクリル系樹脂、４級アンモニウム塩を有するスチレン−アクリル系樹脂、４級アンモニウム塩を有するポリエステル系樹脂、カルボン酸塩を有するスチレン系樹脂、カルボン酸塩を有するアクリル系樹脂、カルボン酸塩を有するスチレン−アクリル系樹脂、カルボン酸塩を有するポリエステル系樹脂、カルボキシル基を有するポリスチレン系樹脂、カルボキシル基を有するアクリル系樹脂、カルボキシル基を有するスチレン−アクリル系樹脂、カルボキシル基を有するポリエステル系樹脂等）などが挙げられる。他方、負帯電性の電荷制御剤としては、例えば、有機金属錯体、キレート化合物が有効であり、具体例としては、アルミニウムアセチルアセトナート、鉄（ＩＩ）アセチルアセトナート、３，５−ジ−ｔｅｒｔ−ブチルサリチル酸クロム等が挙げられ、特にアセチルアセトン金属錯体、サリチル酸系金属錯体または塩が好ましく、特にサリチル酸系金属錯体またはサリチル酸系金属塩が好ましい。
【００３３】
トナー粒子に外添することのできるその他の成分としては、例えば、シリカ粉末や、酸化チタン、酸化アルミニウム、酸化マグネシウム、酸化亜鉛、チタン酸ストロンチウム、チタン酸バリウム、チタン酸マグネシウム、チタン酸カルシウム等の金属酸化物などが挙げられる。
【００３４】
本発明における像担持体としては、特に制限されるものではなく、導電性基体上に少なくとも電荷発生剤および電荷輸送剤を含有する有機感光層を備えた有機感光体や、アモルファスシリコン層、非晶質シリコン層、Ｓｅ系感光層、ＺｎＯ感光層、ＣｄＳ系感光層等を備えた無機感光体を用いることができるが、中でも、アモルファスシリコン層を備えたアモルファスシリコンドラムであることが、本発明の効果を有効に発揮しうる点で望ましい。つまり、像担持体として摩擦抵抗が高いアモルファスシリコンドラムを用いた場合は特に中間転写体上に１次転写されたトナーが付着して剥がれやすく、その結果文字中抜け現象が顕著に生じるのであるが、本発明においてはこれを効果的に防止することができるのである。
【実施例】
【００３５】
以下、実施例および比較例を挙げて本発明を詳細に説明するが、本発明は以下の実施例に限定されるものではない。
［実施例１］
（ブラックトナーおよびブラック現像剤の製造）
ビスフェノールＡとフマル酸とを縮合して得られたポリエステル樹脂１００重量部、カーボンブラック（三菱化学社製「ＭＡ−１００」）４重量部、フィッシャートロプシュワックス（日本精鑞製「ＦＴ−１００」）３重量部、４級アンモニウム塩化合物（オリエント化学社製「Ｐ−５１」）２重量部の混合物をヘンシェルミキサー（三井鉱山社製）で２分間混合した後、二軸押出機で溶融混練してトナー混練物を調製した。得られたトナー混練物を気流式粉砕機で微粉砕し、風力分級機で分級処理し、体積平均粒径８μｍのトナー粒子を得た。
【００３６】
次に、得られたトナー粒子１００重量部に対して、シリカ粒子（キャボット社製「ＴＧ−８２０」）１重量部と酸化チタン（石原産業社製「ＴＴＯ−５５Ａ」）１重量部とを添加し、ヘンシェルミキサーを用いて３０００ｒｐｍで１０分間混合して、トナーを得た。
得られたトナーとシリコーン樹脂（信越シリコーン製「ＫＲ２５１」）でコーティングした平均粒子径６０μｍのフェライトキャリア（パウダーテック社製「ＥＦ−６０Ｂ」）とをトナー濃度が５重量％となるように配合し、均一に攪拌混合して、二成分現像剤とした。
【００３７】
（イエロートナーおよびイエロー現像剤の製造）
カーボンブラック４重量部に代えてイエロー顔料（Ｃ．Ｉ．ピグメントイエロー１８０）２重量部を用いたこと以外は、上記ブラックトナーの製造と同様にして、トナー粒子を得た。
次に、得られたトナー粒子１００重量部に対して、シリカ粒子１重量部および酸化チタン１重量部とともにステアリン酸カルシウム（日本油脂製「カルシウムステアレート」）０．１重量部も添加して混合したこと以外は、上記ブラックトナーの製造方法と同様にして、トナーを得た。
得られたトナーを用い、ブラック現像剤の製造と同様にして、二成分現像剤とした。
【００３８】
（シアントナーおよびシアン現像剤の製造）
カーボンブラック４重量部に代えてシアン顔料（Ｃ．Ｉ．ピグメントブルー１５−３）３重量部を用いたこと以外は、上記ブラックトナーの製造と同様にして、トナー粒子を得た。
次に、得られたトナー粒子１００重量部に対して、シリカ粒子１重量部および酸化チタン１重量部とともにステアリン酸マグネシウム（日本油脂製「マグネシウムステアレート  ＧＦ−２００」）０．１重量部をも添加して混合したこと以外は、上記ブラックトナーの製造方法と同様にして、トナーを得た。
得られたトナーを用い、ブラック現像剤の製造と同様にして、二成分現像剤とした。
【００３９】
（マゼンタトナーおよびマゼンタ現像剤の製造）
カーボンブラック４重量部に代えてマゼンタ顔料（Ｃ．Ｉ．ピグメントレッド２３８）３重量部を用いたこと以外は、上記ブラックトナーの製造と同様にして、トナー粒子を得た。
次に、得られたトナー粒子１００重量部に対して、シリカ粒子１重量部および酸化チタン１重量部とともにステアリン酸亜鉛（日本油脂製「ジンクステアレート」）０．１重量部をも添加して混合したこと以外は、上記ブラックトナーの製造方法と同様にして、トナーを得た。
得られたトナーを用い、ブラック現像剤の製造と同様にして、二成分現像剤とした。
【００４０】
（画像評価）
京セラミタ（株）製のタンデム型カラー画像形成装置（ＦＳ−５０１６Ｎ改造機：アモルファスシリコン感光体内蔵）を用い、上記で得られた４色の現像剤を、中間転写体の移動方向に関して下流側からブラック、イエロー、シアン、マゼンタの順となるようにセットした（すなわち、前記Ｕ１にはマゼンタ、前記Ｕ２にはシアン、前記Ｕ３にはイエロー、前記Ｕ４にはブラックをセットした）。電源を入れ、安定直後の画像を出力して、初期の画像濃度をグレタブマクベス社製「ＲＤ−１９Ｉ」を用いて測定した。その直後、現像剤を装置から取り出してサンプリングし、吸引式帯電量測定装置（トレック社製）を用いて初期の帯電量（μＣ／ｇ）を測定した。
次に、印字濃度４％の画像を１０万枚出力する耐久画像出力試験を行い、１０万枚後の画像濃度および帯電量を各々上記と同様にして測定した。また、１０万枚までの画像出力における転写不良やトナーちり等の不具合の発生状況についても確認を行った。
なお、画像濃度は１．３０以上で合格（実用に耐えうる程度）と判断した。結果を表１に示す。
【００４１】
［比較例１］
イエロー現像剤に用いたイエロートナーの製造においてステアリン酸カルシウムに代えてステアリン酸亜鉛を用いたこと、および、マゼンタ現像剤に用いたマゼンタトナーの製造においてステアリン酸亜鉛に代えてステアリン酸カルシウムを用いたこと以外は、実施例１と同様に行った。画像評価の結果を表１に示す。
【００４２】
［比較例２］
イエロー現像剤に用いたイエロートナーの製造においてステアリン酸カルシウムに代えてステアリン酸亜鉛を用いたこと、および、シアン現像剤に用いたシアントナーの製造においてステアリン酸マグネシウムに代えてステアリン酸亜鉛を用いたこと以外は、実施例１と同様に行った。画像評価の結果を表１に示す。
【００４３】
［比較例３］
シアン現像剤に用いたシアントナーの製造においてステアリン酸マグネシウムに代えてステアリン酸カルシウムを用いたこと、および、マゼンタ現像剤に用いたマゼンタトナーの製造においてステアリン酸亜鉛に代えてステアリン酸カルシウムを用いたこと以外は、実施例１と同様に行った。画像評価の結果を表１に示す。
【００４４】
【表１】
2007310011.tif 000003
【図面の簡単な説明】
【００４５】
【図１】本発明の画像形成装置の一例を示す概略図である。
【符号の説明】
【００４６】
７    画像形成部
１４    定着ユニット
２２    レジストローラ
２３    ２次転写ローラ（２次転写手段）
２６〜２９    画像形成ユニット
３０    転写搬送部
３２    感光体ドラム（像担持体）
３３    帯電部
３４    レーザ走査ユニット
３５    現像部
３６    クリーニング部
４０    １次転写ベルト（中間転写体）
４１    １次転写ローラ（１次転写手段）
４４    定着ローラ
４５    加圧ローラ
【図１】
2007310011.tif 000004